(57)【要約】【課題】  グローブ側壁の開口部側に暗い影部分を生じ難くして、外観体裁を良好とした照明装置の提供を目的とする。【解決手段】  立ち上がり部２２に雌ねじ２３が形成された照明装置本体２１と、開口周縁部の内側壁３４と外側壁３５との間に凹溝部３６が形成されるとともに、前記内側壁３４に雄ねじ３８が形成されたグローブ３１と、を備え、前記雌ねじ２３と前記雄ねじ３８とを螺合させて前記照明装置本体２１に前記グローブ３１が取り付けられる照明装置１１であり、前記グローブ３１は、前記内側壁３４の周面からの距離が位置によって異なるグローブ側壁３２を有し、前記内側壁３４と前記グローブ側壁３２とが接近した領域において、前記領域に含まれる前記外側壁３５の一部を前記内側壁３４に接近させた形状とする。【選択図】図２
2008257950.tif 000002
【特許請求の範囲】
【請求項１】
立ち上がり部に雌ねじが形成された照明装置本体と、開口周縁部の内側壁と外側壁との間に凹溝部が形成されるとともに、前記内側壁に雄ねじが形成されたグローブと、を備え、前記雌ねじと前記雄ねじとを螺合させて前記照明装置本体に前記グローブが取り付けられる照明装置であって、
前記グローブは、前記内側壁の周面からの距離が位置によって異なるグローブ側壁を有し、前記内側壁と前記グローブ側壁とが接近した領域において、前記領域に含まれる前記外側壁の一部を前記内側壁に接近させた形状としたことを特徴とする照明装置。
【請求項２】
前記グローブは、前記外側壁の一部をグローブ側壁に沿った形状としたことを特徴とする請求項１に記載の照明装置。
【請求項３】
前記グローブは、平面形状部分のあるグローブ側壁を有し、前記平面形状部分に対向する外側壁の一部を平面形状としたことを特徴とする請求項１または２のいずれか１項に記載の照明装置。
【請求項４】
前記グローブは、前記凹溝部の底部の幅を開口部の幅より狭くしたことを特徴とする請求項１から３のいずれか１項に記載の照明装置。
【請求項５】
前記グローブは、前記外側壁から前記凹溝部の底部にかけて、凹溝部の肩部の断面を丸く形成したことを特徴とする請求項１から４のいずれか１項に記載の照明装置。
【発明の詳細な説明】
【技術分野】
【０００１】
本発明は照明装置に関し、より詳細には、異形グローブを備えた照明装置に関する。
【背景技術】
【０００２】
従来、壁面や天井等の取付面に取り付けられる照明装置本体の立ち上がり部に雌ねじが形成されており、照明装置本体に取り付けられるグローブの開口周縁部の内側壁に雄ねじが形成され、前記内側壁の外側に外側壁が形成され、内側壁と外側壁との間に凹溝部が形成されている照明装置が知られている（例えば、特許文献１参照。）。この照明装置では、照明装置本体の雌ねじにグローブの雄ねじを螺合させると、照明装置本体の立ち上がり部がグローブの凹溝部の内側に入り込むようにして取り付けられる。その結果、グローブの開口部側が壁面や天井等の取付面に近づくこととなり、外部から照明装置本体が見え難くなって照明装置の外観体裁が良好となる。
【０００３】
上記従来の照明装置のグローブについては、円筒状だけでなく、異形のもの、例えば多角筒状、多角錐台状としたものも知られている（例えば、特許文献１  図３参照。）。また、従来のグローブはガラス素材を用いた比較的大型のものが主体であったが、近年は合成樹脂素材を用いた小型のグローブに対する需要も増大しつつある。
【特許文献１】実開昭６１−９７０５号公報
【発明の開示】
【発明が解決しようとする課題】
【０００４】
しかしながら、上記従来の異形のグローブを備えた照明装置においては、点灯させるとグローブ側壁の開口部側に暗い影部分が生じ、照明装置の外観体裁を大きく損ねているという問題があった。例えば、図１１に示すように、上記従来の照明装置として四角錘台状のグローブ１３１を備えた照明装置１１１を点灯させると、グローブ側壁１３２の開口部（照明装置本体１２１が取り付けられる部分、図９参照。）側に暗い影部分が生じていた。また、この問題は小型のグローブに生じやすいという問題もあった。そこで本願発明者は、この問題を解消するために鋭意検討を重ねた結果、以下の原因があることを見出した。
【０００５】
図８は、四角錘台状のグローブ１３１を開口部１３３側から見た平面図である。開口周縁部の内側壁１３４には雄ねじ１３８が形成されるため、必然的に内側壁１３４の形状は円筒状となる。外側には四角錘台状のグローブ側壁１３２が形成されている。内側壁１３４の形状は円筒状であるのに対し、グローブ側壁１３２の形状は四角錘台状であるため、内側壁１３４の周面からグローブ側壁１３２までの距離は一定ではなく、接近した領域と離隔した領域とが存在する。例えば、図８の９−９線付近は、内側壁１３４の周面からグローブ側壁１３２までの距離は比較的短く、接近した領域であり、図８の１０−１０線付近では、内側壁１３４の周面からグローブ側壁１３２までの距離は比較的長く、離隔した領域である。
【０００６】
また、図８に示すように、上記従来の異形のグローブ１３１では、内側壁１３４とグローブ側壁１３２との間に形成される外側壁１３５も円筒状であり、内側壁１３４と外側壁１３５とにより形成される凹溝部１３６も一定幅であるため、内側壁１３４とグローブ側壁１３２とが接近した領域では、外側壁１３５とグローブ側壁１３２も接近した領域となっており、内側壁１３４とグローブ側壁１３２とが離隔した領域では、外側壁１３５とグローブ側壁１３２も離隔した領域となっている。
【０００７】
図９及び図１０は照明器具本体に図８の四角錘台状のグローブ１３１を取り付けた状態の断面図である。図９及び図１０のグローブ１３１の断面は、図９では図８の９−９線で切断した状態、図１０では図８の１０−１０線で切断した状態を示している。図９及び図１０において、光源２５の略中心２６（例えば、白熱灯におけるフィラメント位置）からの照射光はグローブ１３１の略全周に照射されているのであるが、照射光はグローブ１３１の外側壁１３５及び凹溝部１３６に遮られることとなり、仮想線Ｌよりも開口部１３３側については直接照射することができない。そして、図９に示すように、外側壁１３５とグローブ側壁１３２とが接近している領域では、照射光が直接照射されない部分がグローブ側壁１３２に生じ、グローブ側壁１３２の開口部１３３側の一部に暗い影部分が生じることとなる。一方、図１０のように、外側壁１３５とグローブ側壁１３２とが離隔している領域では、照射光が直接照射されない部分はグローブ側壁１３２には生じず、照射光はグローブ側壁１３２を開口部１３３側まで直接照射することができ、グローブ側壁１３２に影部分は生じない。
【０００８】
上記の原因により、図１１のように、グローブ側壁１３２の開口部（照明装置本体１２１が取り付けられる部分、図９参照。）側に暗い影部分が生じており、また、小型のグローブ１３１であるほど暗い影部分が生じやすいという問題は、小型のグローブ１３１であるほど外側壁１３５とグローブ側壁１３２とが接近している領域が多くなり、光源２５からの照射光がグローブ１３１の外側壁１３５及び凹溝部１３６に遮られるために生じていたのである。
【０００９】
本発明は、前記課題を解消するためになされたものであり、グローブ側壁の開口部側に暗い影部分を生じ難くして、外観体裁を良好とした照明装置の提供を目的とする。
【課題を解決するための手段】
【００１０】
本発明の解決しようとする課題は以上の如くであり、次にこの課題を解決するための手段を説明する。
【００１１】
即ち、請求項１に記載の発明では、立ち上がり部に雌ねじが形成された照明装置本体と、開口周縁部の内側壁と外側壁との間に凹溝部が形成されるとともに、前記内側壁に雄ねじが形成されたグローブと、を備え、前記雌ねじと前記雄ねじとを螺合させて前記照明装置本体に前記グローブが取り付けられる照明装置であって、
前記グローブは、前記内側壁の周面からの距離が位置によって異なるグローブ側壁を有し、前記内側壁と前記グローブ側壁とが接近した領域において、前記領域に含まれる前記外側壁の一部を前記内側壁に接近させた形状としたことを特徴とする照明装置とした。
【００１２】
請求項２に記載の発明では、請求項１に記載の照明装置において、
前記グローブは、前記外側壁の一部をグローブ側壁に沿った形状としたことを特徴とする照明装置とした。
【００１３】
請求項３に記載の発明では、請求項１又は２のいずれか１項に記載の照明装置において、
前記グローブは、平面形状部分のあるグローブ側壁を有し、前記平面形状部分に対向する外側壁の一部を平面形状としたことを特徴とする照明装置とした。
【００１４】
請求項４に記載の発明では、請求項１から３のいずれか１項に記載の照明装置において、
前記グローブは、前記凹溝部の底部の幅を開口部の幅より狭くしたことを特徴とする照明装置とした。
【００１５】
請求項５に記載の発明では、請求項１から４のいずれか１項に記載の照明装置において、
前記グローブは、前記外側壁から前記凹溝部の底部にかけて、凹溝部の肩部の断面を丸く形成したことを特徴とする照明装置とした。
【発明の効果】
【００１６】
本発明の効果として、以下に示すような効果を奏する。
【００１７】
請求項１に記載の発明によれば、グローブは、内側壁とグローブ側壁とが接近した領域において、前記領域に含まれる外側壁の一部を内側壁に接近させた形状としたため、外側壁とグローブ側壁との間隔が離隔することとなって、光源からの照射光がグローブ側壁の開口部側に直接照射しやすくなり、グローブ側壁の開口部側に暗い影部分が生じ難くなって、照明装置の外観体裁を良好とすることができる。また、小型のグローブであっても外側壁とグローブ側壁との間隔を確保することが容易となり、影部分が生じ難くなるとともに、影部分を減少させるための部材をグローブに新たに取り付ける必要が無く、グローブをシンプルに形成することができる。
【００１８】
請求項２に記載の発明によれば、グローブは、外側壁の一部をグローブ側壁に沿った形状としたため、内側壁とグローブ側壁とが接近した領域において、外側壁とグローブ側壁との間隔を一定以上確保することが容易となり、光源からの照射光がグローブ側壁の開口部側に直接照射しやすくなって、グローブ側壁の開口部側に暗い影部分が生じ難くなる。
【００１９】
請求項３に記載の発明によれば、グローブは、平面形状部分のあるグローブ側壁を有し、前記平面形状部分に対向する外側壁の一部を平面形状としたため、外側壁とグローブ側壁との間隔が狭くなりやすい平面形状部分において、外側壁とグローブ側壁との間隔を一定以上確保することが容易となり、光源からの照射光がグローブ側壁の開口部側に直接照射しやすくなって、グローブ側壁の開口部側に暗い影部分が生じ難くなる。
【００２０】
請求項４に記載の発明によれば、凹溝部の底部の幅を開口部の幅より狭くしたため、凹溝部の深さと幅を確保しつつ、凹溝部の底部側において外側壁とグローブ側壁との間隔を一定以上確保することが容易となり、光源からの照射光がグローブ側壁の開口部側に直接照射しやすくなって、グローブ側壁の開口部側に暗い影部分が生じ難くなる。
【００２１】
請求項５に記載の発明によれば、外側壁から凹溝部の底部にかけて、凹溝部の肩部の断面を丸く形成したため、凹溝部の深さと幅を確保しつつ、光源からの照射光を遮りやすい凹溝部の肩部を低く形成することができ、光源からの照射光がグローブ側壁の開口部側に直接照射しやすくなって、グローブ側壁の開口部側に暗い影部分が生じ難くなる。
【発明を実施するための最良の形態】
【００２２】
次に、発明の実施の形態について図を用いて説明する。
【実施例１】
【００２３】
本発明の実施例１に係る照明装置１１について、図１乃至図３を用いて説明する。
【００２４】
図１乃至図３に示すように、本実施例に係る照明装置１１は、異形のグローブ３１として四角錘台状のグローブ３１を備えた照明装置１１である。ここで、異形のグローブ３１は、内側壁３４の周面からの距離が位置によって異なるグローブ側壁３２を有するものであり、形状は本実施例の四角錘台状に限定されず、円筒状以外の五角以上の多角錐台状や多角筒状も異形のグローブ３１に含まれる。また、円筒状、円錐台状であっても、グローブ３１の中心軸と開口部３３の中心が一致しない場合は、内側壁３４の周面からの距離が位置によって異なるグローブ側壁３２を有するものに該当し、異形のグローブ３１に含まれるものである。
【００２５】
図２に示すように、取付面に取り付けられる照明装置本体２１には、立ち上がり部２２に雌ねじ２３が形成されており、中央部にソケット部２４が立設され、ソケット部２４には光源２５として白熱灯が取り付けられている。照明装置本体２１はタッピングねじ等の固定手段（図示せず）によって取付面に取り付けられるものである。
【００２６】
図２に示すように、照明装置本体２１に取り付けられるグローブ３１には、開口周縁部の円筒状の内側壁３４に雄ねじ３８が形成され、前記内側壁３４の外側に筒状の外側壁３５が形成され、内側壁３４と外側壁３５との間に凹溝部３６が形成されている。照明装置本体２１の雌ねじ２３にグローブ３１の雄ねじ３８を螺合させると、照明装置本体２１の立ち上がり部２２がグローブ３１の凹溝部３６の内側に入り込む状態となって照明装置本体２１にグローブ３１が取り付けられる。尚、本実施例に係る照明装置１１は、凹溝部３６の底部３７と立ち上がり部２２との間にパッキング３９が介設されてグローブ３１内を防湿する防湿型であるが、パッキング３９が介設されない仕様のものであってもよい。
【００２７】
図１は、四角錘台状のグローブを開口部３３側から見た平面図である。開口周縁部の内側壁３４には雄ねじ３８が形成されるため、必然的に内側壁３４は円筒状である。外側には四角錘台状のグローブ側壁３２が形成されている。内側壁３４の形状は円筒状であるのに対し、グローブ側壁３２の形状は四角錘台状であるため、内側壁３４の周面からグローブ側壁３２までの距離は一定ではなく、位置によって異なっている。例えば、図１の２−２線付近は、内側壁３４の周面からグローブ側壁３２までの距離は比較的短く、接近した領域であり、図１の３−３線付近では、内側壁３４の周面からグローブ側壁３２までの距離は比較的長く、離隔した領域である。
【００２８】
そして図１に示すように、外側壁３５は、内側壁３４とグローブ側壁３２の４面とが接近した領域において、前記領域に含まれる４方向の部分がグローブ側壁３２の形状に沿わせた直線状に形成されており、内側壁３４に接近した形状に形成されている。また、この部分は図２に示すように平面状に形成されている。図１に示すように、内側壁３４とグローブ側壁３２とが離隔した領域においては、外側壁３５は湾曲した形状とされており、４方向に形成した平面状部分を滑らかに連続させている。
【００２９】
外側壁３５をどの位置まで内側壁３４に接近させるかは、凹溝部３６に必要とされる深さや幅、光源２５の位置などの要素によって決定されるものであるが、図２に示すように、照射光によって直接照射される範囲を示す仮想線Ｌがグローブ側壁３２の開口部３３側に達するように、外側壁３５の位置を決定することが好ましい。この場合は、グローブ側壁３２の開口部３３側に生じる影部分を解消させることができる。尚、グローブ側壁３２に照射光を直接照射できない部分が残存している場合であっても、その部分が僅かであれば、近くに照射された光が拡散することにより、グローブ側壁３２に生じる暗い影部分を殆ど解消できる場合もある。
【００３０】
次に、本実施例に係る照明装置１１を点灯させた状態について説明する。図２及び図３に示すように、光源２５の略中心２６（例えば、白熱灯におけるフィラメント位置）からの照射光はグローブ３１の略全周に照射されており、照射光はグローブ３１の外側壁３５及び凹溝部３６に遮られて仮想線Ｌよりも開口部３３側について直接照射することができない。しかしながら、図１の２−２線付近、すなわち、内側壁３４とグローブ側壁３２とが接近した領域において、外側壁３５を内側壁３４に接近させたことにより、光源２５からの照射光はグローブ側壁３２の開口部３３側に直接照射しやすくなっており、直接照射できない部分は生じていない。また、図３のように、外側壁３５とグローブ側壁３２とが離隔している領域では、元来、照射光が直接照射されない部分はグローブ側壁３２には生じず、照射光はグローブ側壁３２を開口部３３側まで直接照射することができるため、グローブ側壁３２に影部分は生じていない。よって、グローブ側壁３２の開口部３３側の暗い影部分は解消され、照明装置１１の外観体裁を良好とすることができる。
【実施例２】
【００３１】
次に、本発明の実施例２に係る照明装置１１について、図４及び図５を用いて説明する。実施例２では、凹溝部３６の底部３７の幅を開口部３３の幅より狭くしている点が前記実施例１とは大きく異なっている。前記実施例１と同一部分は同一符号を付して詳しい説明は省略する。
【００３２】
図４は、四角錘台状のグローブ３１を開口部３３側から見た平面図である。開口周縁部の内側壁３４の形状は円筒状である。外側には四角錘台状のグローブ側壁３２が形成されている。内側壁３４の形状は円筒状であるのに対し、グローブ側壁３２の形状は四角錘台状であるため、内側壁３４の周面からグローブ側壁３２までの距離は一定ではなく、位置によって異なっている。例えば、図４の５−５線付近は、内側壁３４の周面からグローブ側壁３２までの距離は比較的短く、接近した領域となっている。そして外側壁３５は、図５に示すように、凹溝部３６の底部３７側の全周部分を内側壁３４側に接近させた円錐台状に形成されており、凹溝部３６の底部３７の幅が開口部３３の幅より狭くなるように形成されている。
【００３３】
次に、本実施例に係る照明装置１１を点灯させた状態について説明する。図５に示すように、光源２５の略中心２６からの照射光はグローブ３１の略全周に照射されており、照射光はグローブ３１の外側壁３５及び凹溝部３６に遮られて仮想線Ｌよりも開口部３３側について直接照射することができない。しかしながら、凹溝部３６の底部３７の幅を開口部３３の幅より狭く形成しているため、図４の５−５線付近、すなわち、内側壁３４とグローブ側壁３２とが接近した領域においては、凹溝部３６の深さと幅を確保しつつ、凹溝部３６の底部３７側において外側壁３５とグローブ側壁３２との間隔を一定以上確保することができ、光源２５からの照射光は従来と比較してグローブ側壁３２の開口部３３側に直接照射しやすくなっている。本実施例では、照射光がグローブ側壁３２の開口部３３側を直接照射することができるように外側壁３５の位置決めがなされているため、グローブ側壁３２に影部分は生じていない。よって、グローブ側壁３２の開口部３３側の暗い影部分は解消され、照明装置１１の外観体裁を良好とすることができる。
【実施例３】
【００３４】
次に、本発明の実施例３に係る照明装置１１について、図６及び図７を用いて説明する。実施例３では、グローブ３１の外側壁３５から凹溝部３６の底部３７にかけて、凹溝部３６の肩部の断面を丸く形成している点が前記実施例１とは大きく異なっている。前記実施例１と同一部分は同一符号を付して詳しい説明は省略する。
【００３５】
図６は、四角錘台状のグローブ３１を開口部３３側から見た平面図である。開口周縁部の内側壁３４の形状は円筒状である。外側には四角錘台状のグローブ側壁３２が形成されている。内側壁３４の形状は円筒状であるのに対し、グローブ側壁３２の形状は四角錘台状であるため、内側壁３４の周面からグローブ側壁３２までの距離は一定ではなく、位置によって異なっている。例えば、図６の７−７線付近は、内側壁３４の周面からグローブ側壁３２までの距離は比較的短く、接近した領域となっている。そして図７に示すように、外側壁３５から凹溝部３６の底部３７にかけて、凹溝部３６の肩部の断面が丸く形成されている。
【００３６】
次に、本実施例に係る照明装置１１を点灯させた状態について説明する。図７に示すように、光源２５の略中心２６からの照射光はグローブ３１の略全周に照射されており、照射光はグローブ３１の外側壁３５及び凹溝部３６に遮られて仮想線Ｌよりも開口部３３側について直接照射することができない。しかしながら、外側壁３５から凹溝部３６の底部３７にかけて、凹溝部３６の肩部の断面が丸く形成されているため、図６の７−７線付近、すなわち、内側壁３４とグローブ側壁３２とが接近した領域において、凹溝部３６の深さを確保しつつ、光源２５からの照射光を遮りやすい凹溝部３６の肩部の断面を低く形成することができ、光源２５からの照射光はグローブ側壁３２の開口部３３側に直接照射しやすくなっている。本実施例では、照射光がグローブ側壁３２の開口部３３側を直接照射することができるように凹溝部３６の肩部の断面の形状を決定しているため、グローブ側壁３２に影部分は生じない。尚、凹溝部３６の肩部の断面の丸みは、凹溝部３６の幅の４分の１以上の半径で丸く形成してもよく、３分の１以上の半径で形成することがより好ましい。
【００３７】
本発明の実施例は上記各実施例に限定されない。例えば、外側壁３５の形状は、外側壁３５とグローブ側壁３２との間隔を一定以上確保するため、グローブ側壁３２に沿った形状や平面状、凹溝部３６の底部３７の幅を開口部３３の幅より狭くする形状、凹溝部３６の肩部の断面を丸くした形状などとしたが、これらを適宜組み合わせた形状とすることができる。例えば、外側壁３５とグローブ側壁３２とが接近した領域において、外側壁３５の一部をグローブ側壁３２の形状に沿わせるとともに、外側壁３５から凹溝部３６の底部３７にかけて、凹溝部３６の肩部の断面を丸く形成するようにしてもよい。また、凹溝部３６の底部３７の幅を開口部３３の幅より狭くなるように形成するとともに、凹溝部３６の肩部の断面を丸く形成するようにしてもよい。
【００３８】
以上説明した本発明の技術的範囲は、上記の実施例に限定されるものではなく、上記実施例の形状に限定されない。本発明の技術的範囲は、本明細書及び図面に記載した事項から明らかになる本発明が真に意図する技術的思想の範囲全体に、広く及ぶものである。
【図面の簡単な説明】
【００３９】
【図１】実施例１に係る照明装置１１のグローブ３１を開口部３３側から見た平面図。
【図２】図１の２−２線の位置において照明装置１１を切断した断面図。
【図３】図１の３−３線の位置において照明装置１１を切断した断面図。
【図４】実施例２に係る照明装置１１のグローブ３１を開口部３３側から見た平面図。
【図５】図４の５−５線の位置において照明装置１１を切断した断面図。
【図６】実施例３係る照明装置１１のグローブ３１を開口部３３側から見た平面図。
【図７】図６の７−７線の位置において照明装置１１を切断した断面図。
【図８】従来の照明装置１１１のグローブ３１を開口部３３側から見た平面図。
【図９】図８の９−９線の位置において照明装置１１１を切断した断面図。
【図１０】図８の１０−１０線の位置において照明装置１１１を切断した断面図。
【図１１】従来の照明装置１１１を点灯させた状態の側面図。
【符号の説明】
【００４０】
１１      照明装置
２１      照明装置本体
２２      立ち上がり部
２３      雌ねじ
２４      ソケット部
２５      光源
２６      光源の略中心
３１      グローブ
３２      グローブ側壁
３３      開口部
３４      内側壁
３５      外側壁
３６      凹溝部
３７      底部
３８      雄ねじ
３９      パッキング
Ｌ        仮想線
【図１】
2008257950.tif 000003
【図２】
2008257950.tif 000004
【図３】
2008257950.tif 000005
【図４】
2008257950.tif 000006
【図５】
2008257950.tif 000007
【図６】
2008257950.tif 000008
【図７】
2008257950.tif 000009
【図８】
2008257950.tif 000010
【図９】
2008257950.tif 000011
【図１０】
2008257950.tif 000012
【図１１】
2008257950.tif 000013